(57)【要約】【課題】  直感的に表示色を選択可能とし、すばやく簡便に中間色を含む表示色を選択表示可能な携帯端末装置を提供する。【解決手段】  制御部１は操作部４のマトリックスボタンスイッチのＯＮ状態が検出されると、該当画素をＯＮされたマトリックスボタンスイッチに対応する表示色へと変化させ、該当画素とその表示色とをメモリ部２の予め決められた領域へ記憶する。制御部１は続けて操作部４のマトリックスボタンスイッチのＯＮ状態が検出されると、該当画素を、上記の処理でメモリ部２に記憶された表示色と入力されたマトリックスボタンスイッチに対応する表示色との中間色へと変化させ、該当画素とその表示色とをメモリ部２の予め決められた領域へと記憶する。【選択図】      図１                                                  
2005285039.tif 000002
【特許請求の範囲】
【請求項１】
ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含み、前記マトリックス状のボタンスイッチ各々に対して色の直線的な変化に応じた色情報が予め設定されている携帯端末装置であって、前記ボタンスイッチの押下操作に対応する画素を選択する選択手段と、前記ボタンスイッチを使用した前記ｍ行ｎ列の画素各々の表示色情報の設定処理への切替えを指示する指示手段と、前記指示手段で前記表示色情報の設定処理への切替えが指示された後に押下されるボタンスイッチに予め設定された色情報を用いて前記選択手段で選択された画素を表示させる手段と、前記マトリックス状のボタンスイッチのうちの異なる色に対応付けられた複数のボタンススイッチが操作された時に該当する複数の表示色の中間色を用いて前記選択手段で選択された画素を表示させる手段とを有することを特徴とする携帯端末装置。
【請求項２】
前記画素は、複数のドットからなり、前記複数のドットを同一の色情報を基に表示することを特徴とする請求項１記載の携帯端末装置。
【請求項３】
前記色情報は、有彩色及び無彩色と、明度と、彩度とのうちの少なくとも一つを含むことを特徴とする請求項１または請求項２記載の携帯端末装置。
【請求項４】
前記マトリックス状のボタンスイッチ各々は、色相環及び色度図のうちのいずれかの色の並び順序と同様の順序で前記色情報が予め設定されていることを特徴とする請求項１から請求項３のいずれか記載の携帯端末装置。
【請求項５】
前記前記選択手段で選択された画素を、当該画素の表示色と白色とを交互に選択表示させることを特徴とする請求項１から請求項４のいずれか記載の携帯端末装置。
【請求項６】
前記複数のボタンススイッチが操作された時に、最後に操作されたボタンススイッチの直前までに操作されたボタンススイッチに該当する表示色を保持しておき、その保持された表示色と前記最後に操作されたボタンススイッチに該当する表示色との中間色を決定することを特徴とする請求項１から請求項５のいずれか記載の携帯端末装置。
【請求項７】
前記複数のボタンススイッチが操作された時に、最後に操作されたボタンススイッチに該当する表示色と、その直前に操作されたボタンススイッチに該当する表示色とそれまでに操作されたボタンススイッチに該当する表示色との中間色とから前記画素に用いる中間色を決定することを特徴とする請求項１から請求項５のいずれか記載の携帯端末装置。
【請求項８】
ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含み、前記マトリックス状のボタンスイッチ各々に対して色の直線的な変化に応じた色情報が予め設定されている携帯型端末装置の画素入力方法であって、前記ボタンスイッチの押下操作に対応する画素を選択するステップと、その選択された画素を前記ボタンスイッチを使用した前記ｍ行ｎ列の画素各々の表示色情報の設定処理への切替えが指示された後に押下されるボタンスイッチに予め設定された色情報を用いて表示させるステップと、前記マトリックス状のボタンスイッチのうちの異なる色に対応付けられた複数のボタンススイッチが操作された時に該当する複数の表示色の中間色を用いて前記選択された画素を表示させるステップとを有することを特徴とする画素入力方法。
【請求項９】
前記画素は、複数のドットからなり、前記複数のドットを同一の色情報を基に表示することを特徴とする請求項８記載の画素入力方法。
【請求項１０】
前記色情報は、有彩色及び無彩色と、明度と、彩度とのうちの少なくとも一つを含むことを特徴とする請求項８または請求項９記載の画素入力方法。
【請求項１１】
前記マトリックス状のボタンスイッチ各々は、色相環及び色度図のうちのいずれかの色の並び順序と同様の順序で前記色情報が予め設定されていることを特徴とする請求項８から請求項１１のいずれか記載の画素入力方法。
【請求項１２】
前記前記選択手段で選択された画素を、当該画素の表示色と白色とを交互に選択表示させることを特徴とする請求項８から請求項１１のいずれかに記載の画素入力方法。
【請求項１３】
前記複数のボタンススイッチが操作された時に、最後に操作されたボタンススイッチの直前までに操作されたボタンススイッチに該当する表示色を保持しておき、その保持された表示色と前記最後に操作されたボタンススイッチに該当する表示色との中間色を決定することを特徴とする請求項８から請求項１２のいずれか記載の画素入力方法。
【請求項１４】
前記複数のボタンススイッチが操作された時に、最後に操作されたボタンススイッチに該当する表示色と、その直前に操作されたボタンススイッチに該当する表示色とそれまでに操作されたボタンススイッチに該当する表示色との中間色とから前記画素に用いる中間色を決定することを特徴とする請求項８から請求項１２のいずれか記載の画素入力方法。
【請求項１５】
ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含み、前記マトリックス状のボタンスイッチ各々に対して色の直線的な変化に応じた色情報が予め設定されている携帯型端末装置の画素入力方法のプログラムであって、コンピュータに、前記ボタンスイッチの押下操作に対応する画素を選択する処理と、その選択された画素を前記ボタンスイッチを使用した前記ｍ行ｎ列の画素各々の表示色情報の設定処理への切替えが指示された後に押下されるボタンスイッチに予め設定された色情報を用いて表示させる処理と、前記マトリックス状のボタンスイッチのうちの異なる色に対応付けられた複数のボタンススイッチが操作された時に該当する複数の表示色の中間色を用いて前記選択された画素を表示させる処理とを実行させるためのプログラム。
【発明の詳細な説明】
【技術分野】
【０００１】
本発明は携帯端末装置及びそれに用いる画素入力方法並びにそのプログラムに関し、特に携帯端末装置における表示画面上の文字や絵文字を構成する各画素の表示色の変更に関する。
【背景技術】
【０００２】
近年、携帯電話に代表される携帯端末装置は小型化がますます進むとともに、音声通話のみでなく、文字や操作者の任意で自由な絵文字を含んだ通信文の送受信を行う通信方法が実現されてきている。
【０００３】
そのため、このように小型な携帯端末装置においては、自由な文字や絵文字をすばやく、簡単に、しかも誤りなく入力する方法が必要となってきている（例えば、特許文献１参照）。
【０００４】
上記の公報記載の技術では、端末上でマトリックス状に構成されたマトリックスキーボタンスイッチを使用し、このマトリックス状に配置された１つのボタンスイッチ位置と表示の１つのドット配置位置とを１対１に対応させ、１つのボタンスイッチを入力した時に、対応する表示上のドットを輝度反転させる構成が提案されている。このように構成すれば、１つのドットの輝度反転は１回のボタンスイッチ入力で実現することができ、利便性が良い。
【０００５】
【特許文献１】特開昭５８−０８４３５９号公報
【発明の開示】
【発明が解決しようとする課題】
【０００６】
しかしながら、近年、さらに、小型の携帯端末装置でもカラー表示機能を具備することが一般的となっており、上記のようにボタンスイッチの１回入力によって１つのドットの輝度を反転する方法では、いわゆる「白黒」の表示操作のみに限られ、自由に色表示を組合せた、いわゆる「カラー」表示を自在に、しかも簡便に操作する機能に欠けるという問題がある。
【０００７】
そこで、本発明の目的は上記の問題点を解消し、直感的に表示色を選択することができ、すばやく簡便に中間色を含む表示色を選択表示することができる携帯端末装置及びそれに用いる画素入力方法並びにそのプログラムを提供することにある。
【課題を解決するための手段】
【０００８】
本発明による携帯端末装置は、ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含み、前記マトリックス状のボタンスイッチ各々に対して色の直線的な変化に応じた色情報が予め設定されている携帯端末装置であって、前記ボタンスイッチの押下操作に対応する画素を選択する選択手段と、前記ボタンスイッチを使用した前記ｍ行ｎ列の画素各々の表示色情報の設定処理への切替えを指示する指示手段と、前記指示手段で前記表示色情報の設定処理への切替えが指示された後に押下されるボタンスイッチに予め設定された色情報を用いて前記選択手段で選択された画素を表示させる手段と、前記マトリックス状のボタンスイッチのうちの異なる色に対応付けられた複数のボタンススイッチが操作された時に該当する複数の表示色の中間色を用いて前記選択手段で選択された画素を表示させる手段とを備えている。
【０００９】
本発明による画素入力方法は、ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含み、前記マトリックス状のボタンスイッチ各々に対して色の直線的な変化に応じた色情報が予め設定されている携帯型端末装置の画素入力方法であって、前記ボタンスイッチの押下操作に対応する画素を選択するステップと、その選択された画素を前記ボタンスイッチを使用した前記ｍ行ｎ列の画素各々の表示色情報の設定処理への切替えが指示された後に押下されるボタンスイッチに予め設定された色情報を用いて表示させるステップと、前記マトリックス状のボタンスイッチのうちの異なる色に対応付けられた複数のボタンススイッチが操作された時に該当する複数の表示色の中間色を用いて前記選択された画素を表示させるステップとを備えている。
【００１０】
本発明による画素入力方法のプログラムは、ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含み、前記マトリックス状のボタンスイッチ各々に対して色の直線的な変化に応じた色情報が予め設定されている携帯型端末装置の画素入力方法のプログラムであって、コンピュータに、前記ボタンスイッチの押下操作に対応する画素を選択する処理と、その選択された画素を前記ボタンスイッチを使用した前記ｍ行ｎ列の画素各々の表示色情報の設定処理への切替えが指示された後に押下されるボタンスイッチに予め設定された色情報を用いて表示させる処理と、前記マトリックス状のボタンスイッチのうちの異なる色に対応付けられた複数のボタンススイッチが操作された時に該当する複数の表示色の中間色を用いて前記選択された画素を表示させる処理とを実行させている。
【００１１】
すなわち、本発明の携帯端末装置は、上記問題点に鑑み、これを解決すべく、操作者が簡単な方法で任意のカラー表示文字や絵を入力可能とする構成を提案するものである。
【００１２】
つまり、本発明の携帯端末装置では、マトリックス状のボタンスイッチがｍ行ｎ列（ｍ，ｎは正の整数）である時、表示部上の任意のドットの集まりを画素と呼び、この画素を表示部上にすきまなく並べ、画素ｍ行ｎ列とボタンスイッチｍ行ｎ列とを１対１に対応させている。
【００１３】
次に、本発明の携帯端末装置では、マトリックス状のボタン一つ一つに任意の表示色を対応させ、マトリックス状ボタンスイッチが操作された時、その対応した表示色が画素の表示色となるように構成するとともに、２つ以上のボタンスイッチが押下された時、それらのボタンに該当する対応色の中間色を表示する構成としている。例えば、赤（マンセル色相環の５Ｒ）のボタンスイッチと黄（マンセル色相環の５Ｙ）のボタンスイッチとが押下された場合には、中間色の黄赤（マンセル色相環の５ＹＲ）を表示する。
【００１４】
上記のように構成することによって、本発明の携帯端末装置では、マトリックスボタンと画素との位置関係が１対１であり、またマトリックスボタンと変更したい表示色とが対応しているので、希望の位置の画素の希望の色変更が少ないボタン操作で可能となる。
【００１５】
また、本発明の携帯端末装置では、各ボタンスイッチの中間色を簡単な操作で表示可能となるので、操作者の色の選択肢が増加し、利便性が高めることが可能になるという利点がある。
【００１６】
さらに、本発明の携帯端末装置では、マトリックス状のボタンスイッチに表示色を対応付ける時、色相環や色度図の色の並び順序と同様の色の並び順序を、マトリックス状に並んだボタンスイッチへ類似させて対応させるように構成している。例えば、色相環上の色の並びは類似色や補色、及び暖色や寒色が予め決められた順番で並んでいる。このことを既知としている操作者は直感的で早い表示色選択が可能となる。
【発明の効果】
【００１７】
本発明は、以下に述べるような構成及び動作とすることで、直感的に表示色を選択することができ、すばやく簡便に中間色を含む表示色を選択表示することができるという効果が得られる。
【発明を実施するための最良の形態】
【００１８】
次に、本発明の実施例について図面を参照して説明する。図１は本発明の一実施例による携帯型端末装置の構成を示すブロック図である。図１において、本発明の一実施例による携帯型端末装置は制御部１と、メモリ部２と、表示部３と、操作部４と、インタフェース部（Ｉ／Ｆ）５とから構成されている。
【００１９】
メモリ部２には予め決められたプログラムが記憶されており、制御部１はメモリ部２のプログラムを実行することで表示部３の表示内容を制御する。すなわち、制御部１は表示部３に予め決められたコマンドと表示データとを送出することによって、表示部３の表示部分に複数で構成されたドットのうちの任意のドットの表示色を変更する。尚、制御部１で用いる作業領域等としてはメモリ部２のプログラムの記憶領域以外の領域または制御部１内の作業領域等が考えられる。
【００２０】
また、制御部１は操作部４を構成する複数のボタンスイッチ（図示せず）が操作されることによって、スイッチＯＦＦ状態とスイッチＯＮ状態とを検出し、ボタンスイッチのＯＮもしくはＯＦＦの検出によって、メモリ部２の予め決められたプログラムによって表示部３の表示内容を変化させる構成となっている。
【００２１】
さらに、制御部１はインタフェース部５を介して本端末装置の付加機能を実現する機能ブロックとの間で信号の授受を行うことができる。機能ブロックとは、例えば本端末装置が通信機器であれば、通信相手先との間で信号の授受を行う機能をもったブロックであり、ゲーム機であればブザーや振動モータ等である。
【００２２】
図２は図１の操作部４におけるボタンスイッチの構成例を示す図である。図２において、操作部４は「１」，「２」，…，「９」，「０」，「＊」，「＃」のようにそれぞれ印字表示されかつ４行３列のマトリックス状に配置された１２個のマトリックスボタンスイッチからなるマトリックスボタンスイッチ部と、「ボタンＡ」及び「ボタンＢ」と印字表示された２個のボタンスイッチ部との２つのボタンスイッチ部分からなる。
【００２３】
マトリックスボタンスイッチ部では、通常、各マトリックスボタンスイッチの押下時にその表面に印字表示された値を制御部１に送出し、ボタンスイッチ部の「ボタンＡ」が押下されると、各マトリックスボタンスイッチに予め割り当てられた色情報を制御部１に送出する。また、「ボタンＡ」が押下された後に、「ボタンＢ」が押下されると、通常の印字表示された値の送出へと切替わる。つまり、ボタンスイッチ部の「ボタンＡ」及び「ボタンＢ」はマトリックスボタンスイッチ部による通常の値を設定する処理と色を設定する処理との切替えに用いられる。
【００２４】
図３は図１の表示部３上の画素と操作部４のマトリックスボタンスイッチとの対応例を示す図である。図３において、表示部３の表示部分には複数のドットが上下左右に整然と並んでおり、それぞれのドットの表示色を制御部１からのコマンドとデータとによって変化させることができる。これによって、操作者は表示色の相違を容易に目視区別することができる。
【００２５】
また、表示部３の表示部分においては、少なくとも２行２列のドット並びを１つの画素として、画素が４行３列に１２個並んだ全８行６列のドット並びと、追加して操作者が４行３列のブロック並びを目視しやすいように、４行３列のブロックの上下左右をそれぞれ１ドット幅で枠状に取り囲んだドット並びとの合わせて１０行８列のドット部分を含んでいる。ここで、画素は上記のように、複数のドットからなるマトリックスボタンスイッチに対応する表示エリア用に定義されたものであり、表示画面における画素（ドット）とは異なるものである。
【００２６】
このように構成することで、画素ｍ行ｎ列とボタンスイッチｍ行ｎ列とを１対１に対応させた構成となり、任意の一つのボタンスイッチ操作によって、そのボタンスイッチに対応する画素を選択することができる。
【００２７】
また、マトリックスボタンスイッチと任意の表示色とを対応させ、マトリックスボタンスイッチが操作された時に、そのマトリックスボタンスイッチに対応した表示色で選択された画素を色付け表示することができる。尚、上記の説明ではドット並びを「２行２列」としているが、「３行３列」や「３行４列」等にしてもよく、これに限定されない。
【００２８】
図４は図１の操作部４のマトリックスボタンスイッチと色相環との対応を示す図である。図４において、操作部４のマトリックスボタンスイッチは色相環すなわち「色の環」の色とその順番とにそれぞれ対応している。これによって、操作者は操作部４のマトリックスボタンスイッチの操作時に、直感的に表示色を選択することができ、ひいてはすばやくかつ簡便に表示色を選択表示することができる。
【００２９】
また、本実施例では、２つのボタンスイッチが同時にまたは連続して押下された時、該当する２つのボタンの対応色の中間色を表示する構成としている。例えば、赤（マンセル色相環の５Ｒ）のボタンスイッチと黄（マンセル色相環の５Ｙ）のボタンスイッチとが押下された場合には、中間色の黄赤（マンセル色相環の５ＹＲ）を表示する。
【００３０】
図４では有彩色の色相環として、「赤（ｒｅｄ）」・「緑（ｇｒｅｅｎ）」・「青（ｂｌｕｅ）」の基本３原色と、「黄（ｙｅｌｌｏｗ）」・「あい色（ｃｙａｎ）」・「深紅色（ｍａｇｅｎｔａ）」の３つの二次色との合わせて６色を提案しており、無彩色として「白（ｗｈｉｔｅ）」と「黒（ｂｌａｃｋ）」との２色を提案している。
【００３１】
すなわち、操作部４のマトリックスボタンスイッチにおいては、「赤（ｒｅｄ）」が「２」に、「緑（ｇｒｅｅｎ）」が「９」に、「青（ｂｌｕｅ）」が「７」に、「黄（ｙｅｌｌｏｗ）」が「６」に、「あい色（ｃｙａｎ）」が「０」に、「深紅色（ｍａｇｅｎｔａ）」が「４」に、「白（ｗｈｉｔｅ）」が「５」に、「黒（ｂｌａｃｋ）」が「８」にそれぞれ対応付けられている。
【００３２】
操作部４のマトリックスボタンスイッチのいずれかが操作されると、表示部３上の各画素とその表示色との情報がメモリ部２の予め決められた領域へ記憶される。尚、操作部４のマトリックスボタンスイッチは「明度（輝度）」や「彩度」の設定にも用いることが可能である。
【００３３】
その場合、「明度（輝度）」や「彩度」の設定への切替えは、上記の色指定と同様に、ボタンスイッチ部の「ボタンＡ」及び「ボタンＢ」で行うことができる。また、ボタンスイッチ部の「ボタンＡ」及び「ボタンＢ」以外に、例えば「ボタンＣ」、「ボタンＤ」等を設けることで、色指定のほかに、「明度（輝度）」や「彩度」の設定を切替えながら行うことも可能である。
【００３４】
図５は図１の操作部４のマトリックスボタンスイッチと表示部３の各画素との対応を示す図である。図５において、操作部４のマトリックスボタンスイッチの印字表示「１」は表示部３の画素Ｇ（１，１）に、印字表示「２」は表示部３の画素Ｇ（１，２）に、印字表示「３」は表示部３の画素Ｇ（１，３）に、印字表示「４」は表示部３の画素Ｇ（２，１）に、印字表示「５」は表示部３の画素Ｇ（２，２）に、印字表示「６」は表示部３の画素Ｇ（２，３）に、印字表示「７」は表示部３の画素Ｇ（３，１）に、印字表示「８」は表示部３の画素Ｇ（３，２）に、印字表示「９」は表示部３の画素Ｇ（３，３）に、印字表示「＊」は表示部３の画素Ｇ（４，１）に、印字表示「０」は表示部３の画素Ｇ（４，２）に、印字表示「＃」は表示部３の画素Ｇ（４，３）にそれぞれ対応している。
【００３５】
図６は図１の操作部４のマトリックスボタンスイッチと表示部３での表示色との対応を示す図である。図６において、操作部４のマトリックスボタンスイッチの印字表示「２」は表示色「赤（ｒｅｄ）」に、印字表示「４」は表示色「深紅色（ｍａｇｅｎｔａ）」に、印字表示「５」は表示色「白（ｗｈｉｔｅ）」に、印字表示「６」は表示色「黄色（ｙｅｌｌｏｗ）」に、印字表示「７」は表示色「青（ｂｌｕｅ）」に、印字表示「８」は表示色「黒（ｂｌａｃｋ）」に、印字表示「９」は表示色「緑（ｇｒｅｅｎ）」に、印字表示「０」は表示色「あい色（ｃｙａｎ）」にそれぞれ対応している。印字表示「１」，「３」，「＊」，「＃」はそれぞれ表示色に対応していない。
【００３６】
図７は図１の操作部４のマトリックスボタンスイッチの押下直前にメモリ部２に記憶された表示色と操作部４から入力されるマトリックボタンスイッチに対応する表示色との中間色の代表的な対応関係を示す図である。
【００３７】
図７において、メモリ部２に表示色として「赤（マンセル色相環の５Ｒ）」が記憶され、操作部４から入力されるマトリックボタンスイッチに対応する表示色が「黄（マンセル色相環の５Ｙ）」の場合には、中間色として「黄赤（マンセル色相環の５ＹＲ）」を表示する。
【００３８】
メモリ部２に表示色として「黄（マンセル色相環の５Ｙ）」が記憶され、操作部４から入力されるマトリックボタンスイッチに対応する表示色が「緑（マンセル色相環の５Ｇ）」の場合には、中間色として「黄緑（マンセル色相環の５ＧＹ）」を表示する。
【００３９】
メモリ部２に表示色として「赤（マンセル色相環の５Ｒ）」が記憶され、操作部４から入力されるマトリックボタンスイッチに対応する表示色が「青（マンセル色相環の１０Ｇ）」の場合には、中間色として「紫（マンセル色相環の７．５Ｐ）」を表示する。
【００４０】
図８及び図９は本発明の一実施例による携帯端末装置の文字入力処理を示すフローチャートである。これら図１〜図９を参照して本発明の一実施例による携帯端末装置の文字入力処理について説明する。尚、図８及び図９に示す処理動作はメモリ部２の予め決められたプログラムを制御部１が実行して操作部４及び表示部３を制御することで実現される。
【００４１】
まず、制御部１は任意の絵や文字を入力するために、表示部３の表示部分に図３に示すような８行６列のドット並びを囲むように枠状のドット並びを黒の表示色状態にし、その他のドットを白色の表示色状態にする（図８ステップＳ１）。      
【００４２】
次に、制御部１は操作部４のいずれかのマトリックスボタンスイッチが入力操作され、ＯＮ状態へ変化したことを検出した時（図８ステップＳ２）、ボタンＡが操作された場合（図８ステップＳ３）、ステップＳ１に戻って、再度上記の枠状の表示とスイッチ検出とに遷移する。
【００４３】
制御部１はマトリックスボタンスイッチのいずれかが操作され、そのマトリックスボタンスイッチのＯＮ状態を検出すると（図８ステップＳ４）、配置位置が入力されたマトリックスボタンスイッチと１対１に対応する画素を選択する（図８ステップＳ６）。
【００４４】
制御部１は画素を選択すると、選択した画素を構成している全ドットをマトリックスボタンスイッチのいずれかを操作することによって、そのマトリックスボタンスイッチに対応する表示色に変更させることができる。
【００４５】
また、配置位置が１対１に対応するとは、図３に示すように、例えばマトリックスボタンスイッチの“８”が操作され、マトリックスボタンスイッチ“８”のＯＮ状態が検出されると、画素“Ｇ（３，２）”が対応するというように、マトリックスボタンスイッチの配置位置並びと同じ配置位置並びの画素が対応するということである。これらマトリックスボタンスイッチと画素との対応関係を図５に示す。
【００４６】
マトリックスボタンスイッチが入力されず、ボタンＢが入力されると（図８ステップＳ５）、制御部１はこのプログラムの実行を終了する。ボタンＢのＯＮ状態が検出されない場合には、再度ステップＳ２へ遷移し、ボタン入力の検出処理が行われる。
【００４７】
ステップＳ５において、配置位置が操作されたマトリックスボタンスイッチと１対１に対応する画素が選択された後、制御部１はメモリ部２の予め決められた領域から選択された該当画素の表示色の情報を検索し（図８ステップＳ７）、白色であることを検出すると、該当する画素を適当な時間間隔で「白色→黒色→白色→黒色→…」と、表示色をブリンクさせ、操作者へ選択画素の位置を判別し易いようにする（図８ステップＳ８）。
【００４８】
制御部１は該当画素が白色以外の表示色であれば、「表示色→白色→表示色→白色→…」と、上記と同様に、表示色をブリンクさせ、操作者へ選択画素の位置を判別し易いようにする（図８ステップＳ９）。
【００４９】
次に、制御部１はいずれかのボタンが入力されるか否かを検出し（図９ステップＳ１０）、ボタンＡが入力操作され、ボタンＡのＯＮ状態が検出されると（図９ステップＳ１１）、ステップＳ１に戻って再度枠状の黒色表示を行う。
【００５０】
制御部１はボタンＡがＯＮされず、マトリックスボタンスイッチが操作され、そのマトリックスボタンスイッチのＯＮ状態が検出されると（図９ステップＳ１２）、上述したように、該当画素をＯＮされたマトリックスボタンスイッチに対応する表示色へと変化させる（図９ステップＳ１４）。その後、制御部１は該当画素とその表示色とをメモリ部２の予め決められた領域へ記憶する（図９ステップＳ１５）。
【００５１】
マトリックスボタンに対応する表示色とは、例えば上記の処理と図４とにおいて説明した通りである。これらマトリックスボタンスイッチと表示色との対応関係の例を図６に示す。マトリックスボタンがＯＮされずに、ボタンＢが入力されると（図９ステップＳ１３）、制御部１はこのプログラムの実行を終了する。ボタンＢがＯＮ検出されない場合、制御部１は再度ステップＳ１０へ遷移し、ボタン入力の検出処理を行う。
【００５２】
さらに、制御部１は続けていずれかのボタンが入力されるか否かを検出し（図９ステップＳ１６）、ボタンＡが入力操作され、ボタンＡのＯＮ状態が検出されると（図９ステップＳ１７）、ステップＳ１に戻って再度枠状の黒色表示を行う。
【００５３】
制御部１はボタンＡがＯＮされず、マトリックスボタンスイッチが操作され、そのマトリックスボタンスイッチのＯＮ状態が検出されると（図９ステップＳ１８）、該当画素をステップＳ１５で記憶された表示色とステップＳ１８で入力されたマトリックスボタンスイッチに対応する表示色との中間色へと変化させる（図９ステップＳ２０）。その後、制御部１は該当画素とその表示色とをメモリ部２の予め決められた領域へと記憶する（図９ステップＳ２１）。ステップＳ１５で記憶された表示色と入力されたマトリックボタンスイッチに対応する表示色との中間色の代表的な対応関係を図７に示す。
【００５４】
マトリックスボタンがＯＮされずに、ボタンＢが入力されると（図９ステップＳ１９）、制御部１はこのプログラムの実行を終了する。
【００５５】
このように、本実施例では、マトリックスボタンスイッチと画素との位置関係が１対１であり、またマトリックスボタンスイッチと変更したい表示色とが対応しているので、希望の位置の画素の希望の色変更を少ないボタンスイッチ操作で行うことができるとともに、各ボタンスイッチの中間色を簡単な操作で表示可能となるので、操作者の色の選択肢が増加し、利便性が高めることが可能になるという利点がある。
【００５６】
さらに、本発明の携帯端末装置では、マトリックス状のボタンスイッチに表示色を対応付ける時、色相環や色度図の色の並び順序と同様の色の並び順序を、マトリックス状に並んだボタンスイッチへ類似させて対応させるように構成している。例えば、色相環上の色の並びは類似色や補色、及び暖色や寒色が予め決められた順番で並んでいる。このことを既知としている操作者は直感的で早い表示色選択を行うことができる。
【００５７】
尚、本実施例では、色相環を使用して色相環の表示色の順番とマトリックスボタンスイッチに対応する表示色の順番とを対応させているが、この対応にＣＩＥ（国際照明委員会）の推奨している色度図を使用してもよい。
【００５８】
また、本実施例では、中間色への色変更を行う場合のボタンスイッチ操作において、１回目の操作時にメモリ部２に対応する表示色を保持し、続けて操作されるマトリックスボタンスイッチに対応する表示色とから表示すべき中間色を検出しているが、マトリックスボタンスイッチが同時に押下される場合にもそれぞれに対応する表示色をメモリ等に一時保持し、それらから中間色を検出してもよい。
【００５９】
さらに、本実施例では、マトリックスボタンスイッチが２回操作される場合について述べているが、マトリックスボタンスイッチが３回以上操作される場合にも、それらに対応する表示色の中間色を検出することも可能である。
【００６０】
さらにまた、本実施例では、２回操作されるマトリックスボタンスイッチ各々に対応する表示色の中間色を表示させているが、それらの混合率（中間色のバランス調整）を押下された回数や押下時間から決定することも可能である。これは３回以上操作されるマトリックスボタンスイッチ各々に対応する表示色の中間色を表示させる場合にも適用可能である。
【００６１】
図１０及び図１１は本発明の他の実施例による携帯端末装置の文字入力処理を示すフローチャートである。図１０及び図１１において、本発明の他の実施例による文字入力処理は、中間色処理の回数を判定する処理（図１１ステップＳ５２）を設けた以外は上述した本発明の一実施例による文字入力処理と同様である。つまり、図１０ステップＳ３１〜Ｓ４１及び図１１ステップＳ４２〜Ｓ５１の処理は図８ステップＳ１〜Ｓ９及び図９ステップＳ１０〜Ｓ２１の処理と同様である。
【００６２】
本発明の他の実施例では、図１１ステップＳ５２の処理（２回以上の中間色処理、つまのマトリックスボタンスイッチの３回以上の操作）を行うことで、マトリックスボタンスイッチが３回以上操作される場合にも、それらに対応する表示色の中間色を検出する可能としている。
【図面の簡単な説明】
【００６３】
【図１】本発明の一実施例による携帯型端末装置の構成を示すブロック図である。
【図２】図１の操作部におけるボタンスイッチの構成例を示す図である。
【図３】図１の表示部上の画素と操作部のマトリックスボタンスイッチとの対応例を示す図である。
【図４】図１の操作部のマトリックスボタンスイッチと色相環との対応を示す図である。
【図５】図１の操作部のマトリックスボタンスイッチと表示部の各画素との対応を示す図である。
【図６】図１の操作部のマトリックスボタンスイッチと表示部での表示色との対応を示す図である。
【図７】図１の操作部のマトリックスボタンスイッチの押下直前にメモリ部に記憶された表示色と操作部から入力されるマトリックボタンスイッチに対応する表示色との中間色の代表的な対応関係を示す図である。
【図８】本発明の一実施例による携帯端末装置の文字入力処理を示すフローチャートである。
【図９】本発明の一実施例による携帯端末装置の文字入力処理を示すフローチャートである。
【図１０】本発明の他の実施例による携帯端末装置の文字入力処理を示すフローチャートである。
【図１１】本発明の他の実施例による携帯端末装置の文字入力処理を示すフローチャートである。
【符号の説明】
【００６４】
１  制御部
２  メモリ部
３  表示部
４  操作部
５  インタフェース部
【図１】
2005285039.tif 000003
【図２】
2005285039.tif 000004
【図３】
2005285039.tif 000005
【図４】
2005285039.tif 000006
【図５】
2005285039.tif 000007
【図６】
2005285039.tif 000008
【図７】
2005285039.tif 000009
【図８】
2005285039.tif 000010
【図９】
2005285039.tif 000011
【図１０】
2005285039.tif 000012
【図１１】
2005285039.tif 000013